(57)【要約】【課題】雨具が上下の合羽だと雨具が人体に密着し、またズボンの履き替え時に雨の水で濡れるなど不快感があり、着替えが面倒である。マント状、ポンチョでは使用時に雨具の裾が煽られ十分に防雨ができない。雨具の煽りを止め、不意の雨に対応でき、着替えの面倒さや不快感を解消、運転者の手、脚、体全体を濡れないようにする雨具装着が簡易な自転車、スクーター用の防雨ケースとする。  【解決手段】  スクーターでは車体本体前面カバー（１４）、自転車では車体前部フレーム（１６）に取り付ける左右開閉の雨具収納ケースで、マント状の雨具を収納、左右開閉パネル部をロック、左右開閉パネル部に雨具の前部裾を固定、着脱可能とし、不使用時はロック解除してマント状の雨具を収納することを特徴とする左右開閉雨具収納ケースとする。【選択図】        図１
2011195001.tif 000002
【特許請求の範囲】
【請求項１】
スクーターの車体本体前面カバー（１４）のネジを共有するか固定部品（３６）を設け、車体本体前面カバー（１４）に取り付ける左右開閉する雨具収納ケースとし、該ケースはケース上部、ケース下部、ケース底部、蓋部、左右側面部とで構成、ケース下部に水抜きの穴（５）を設け、左右開閉する部（以下左右開閉パネルとする）は側面部と蓋部の部分を一体として左右観音開きとし、左右開閉パネル、図６の（２），（３）とする、または蓋部分（２５）を上方に開け、左右の側面部を開閉する左右開閉パネル、図８の（２），（３）とし、底部（２８）両端に左右開閉パネルを配置、左右開閉パネル（２），（３）はロック、解除でき、左右開閉パネル（２），（３）部に内蔵するマント状の雨具の前部裾を固定、着脱可能とし、不使用時はロックを解除してマント状の雨具を収納するケースとしたことを特徴とするスクーター用左右開閉雨具収納ケース。
【請求項２】
自転車の車体前部フレーム(トップ、ダブルチューブ)（１６）に取り付けた左右開閉する雨具収納ケースとし、該ケースはケース上部、ケース下部、ケース底部、蓋部、左右側面部とで構成、ケース下部に水抜きの穴（５）を設け、左右開閉する部（以下左右開閉パネルとする）は側面部と蓋部の部分を一体とし、左右観音開きとした左右開閉パネル、図１０の（２２）（２３）とする、または蓋部分（３０）を上方に開け、左右の側面部を開閉するパネル、図１２の（２２）（２３）とし、ケース底部中央部をダブルチューブに取り付けるため逆Ｕ次に湾曲（２９）させ、底部（３３）両端に左右開閉するパネルを配置、左右開閉するパネル（２２）（２３）はロック、解除でき、左右開閉パネル（２２），（２３）部に内蔵するマント状の雨具の前部裾を固定、着脱可能とし、不使用時はロックを解除してマント状の雨具を収納するケースとしたことを特徴とする自転車用左右開閉雨具収納ケース。
【発明の詳細な説明】
【技術分野】
【０００１】
本発明は、スクーターでは車体本体前面カバー（１４）に、自転車では車体前部フレーム（トップ、ダブルチューブ部）（１６）に取り付ける左右に開く雨具収納ケースで、開いたパネル部にマント状の雨具前部の裾を固定、着脱できるようにした雨具収納ケースに関する。
【背景技術】
【０００２】
従来の自転車、スクーターでは雨に対して上下の合羽、ポンチョ、レインコート、マントなどの雨具を利用することが多い。不意の雨に対し、雨具ケースをハンドル部、前カゴ、荷台、サドル下等に取り付け、雨具を収納して対応している。しかし、その雨具が上下の合羽だと雨具が人体に密着し、またズボンの履き替え時に雨の水で濡れるなど不快感があり、着替えが面倒であること、雨により運転者の手が濡れるなどの欠点がある。マント状の雨具、ポンチョでは着替えの面倒は少ないが使用時に雨具の裾が煽られ十分に防雨ができない。雨具の裾を煽られないようにするため特開平８−２６８３６６のように雨具ケースをハンドルや前カゴ等に固定するなどの方策をしているが雨具の裾部を止める位置が高いため運転者の脚が濡れる等、防雨が十分にできないという欠点がある。このような背景から傘差し運転をするものがいまだ絶えない。雨具を収納でき、運転者の脚の前方の車体、自転車では車体前部フレーム（トップ、ダブルチューブ部）（１６）部、スクーターでは車体本体前面カバー（１４）部にケースを取り付け、ケースを開けたとき、開閉パネル部にマント状の雨具の裾を固定できるようにし、運転者の脚、身体全体を十分防雨できるようにした雨具収納ケースはない。
【先行技術文献】
【特許文献】
【０００３】
【特許文献１】特開平８−２６８３６６
【特許文献２】特開平８−１０９５０２
【発明の概要】
【発明が解決しようとする課題】
【０００４】
自転車やスクーターでは雨に対して上下の合羽、ポンチョ、レインコート、マントなどの雨具を利用することが多い。雨具が上下の合羽だと雨具が人体に密着し、またズボンの履き替え時に雨の水で濡れるなど不快感があり、着替えが面倒であること、雨により運転者の手が濡れるなどの欠点がある。マント状雨具、ポンチョでは着替えの面倒は少ないが使用時に雨具の裾が煽られ十分に防雨ができない。出かける時は晴れているが帰りは雨、または突然のにわか雨で濡れる事が多い。このような不意の雨に対応できるよう雨具ケースを取り付け、雨具の裾を煽られないようにするため雨具ケースをハンドルや前カゴ等に固定するなどの方策をしているが雨具の裾部を止める位置が高いため運転者の脚が濡れる等、防雨が十分にできない。不意の雨に対応でき、着替えの面倒さや不快感を解消し、運転者の手、脚、体全体を濡れないようにする雨具装着が簡易な自転車、スクーター用の防雨ケースを開発する。
【課題を解決するための手段】
【０００５】
スクーターの車体本体前面カバー（１４）のネジを共有するか固定部品（３６）を設け、車体本体前面カバー（１４）に取り付ける左右開閉する雨具収納ケースとし、該ケースはケース上部、ケース下部、ケース底部、蓋部、左右側面部とで構成、ケース下部に水抜きの穴（５）を設け、左右開閉する部（以下左右開閉パネルとする）は側面部と蓋部の部分を一体とし、左右観音開きとした左右開閉パネル、図６の（２），（３）とする、または蓋部分（２５）を上方に開け、左右の側面部を開閉する左右開閉パネル、図８の（２），（３）とし、底部（２８）両端に左右開閉パネルを配置、左右開閉パネル（２），（３）はロック、解除でき、左右開閉パネル（２），（３）部に内蔵するマント状の雨具の前部裾を固定、着脱可能とし、不使用時はロックを解除してマント状の雨具を収納するケースとしたことを特徴とするスクーター用左右開閉雨具収納ケース（１）とする。運転者の手、脚、体全体を濡れないようにするためにはケースと雨具が必要になるが、雨具は頭部フード（１０）と、腕が外に出せる袖口（８）を有し、雨具のバックミラー部に当たるところに開閉口（３７）設け、車体前部とハンドル全体を包み込むようにして運転者の手、脚と身体を覆い、頭部からすっぽり被るマント状の雨具とすることで安全に実施することができる。雨具前部の裾部をチャック、マジックバンド（登録商標）、ボタン等（６）で簡易に固定、着脱できるようにする。左右開閉するパネルは側面部と蓋部の部分を一体とし、左右観音両開きとした左右開閉パネル、図６の（２），（３）とする方法、または蓋部分（２５）を上方に開け、左右の側面部を開閉する左右開閉パネル、図８の（２）（３）とする方法などがある。この左右開閉パネル部が雨具の裾の煽り止めになる。雨具の裾を簡易に着脱できるようにし、外して雨具として使うこともできるようになる。ケース下部に水抜きの穴（５）を設けるのは濡れたまま雨具を収納した時、水を排出できるようにするものである。バックミラーは雨具内だと見にくく危険なため、雨具のバックミラー部に当たるところには開閉口（３７）を作り、バックミラーを雨具の外に出すようにする。雨具は底部と側面パネル、上部蓋の間に収納する。
【０００６】
自転車の車体前部フレーム(トップ、ダブルチューブ)（１６）に取り付けた左右開閉する雨具収納ケースとし、該ケースはケース上部、ケース下部、ケース底部、蓋部、左右側面部とで構成、ケース下部に水抜きの穴（５）を設け、左右開閉する部（以下左右開閉パネルとする）は側面部と蓋部の部分を一体とし、左右観音開きとした左右開閉パネル、図１０の（２２）（２３）とする、または蓋部分（３０）を上方に開け、左右の側面部を開閉するパネル、図１２の（２２）（２３）とし、ケース底部中央部をダブルチューブに取り付けるため逆Ｕ次に湾曲（２９）させ、底部（３３）両端に左右開閉するパネルを配置、左右開閉するパネル（２２）（２３）はロック、解除でき、左右開閉パネル（２２），（２３）部に内蔵するマント状の雨具の前部裾を固定、着脱可能とし、不使用時はロックを解除してマント状の雨具を収納するケースとしたことを特徴とする自転車用左右開閉雨具収納ケース（２１）とする。
運転者の手、脚、体全体を濡れないようにするためにはケースと雨具が必要になるが、雨具は頭部フード（１０）と、腕が外に出せる袖口（８）を有し、雨具のバックミラー部に当たるところに開閉口（３７）設け、車体前部とハンドル全体を包み込むようにして運転者の手、脚と身体を覆い、頭部からすっぽり被るマント状の雨具とすることで安全に実施することができる。雨具前部の裾部をチャック、マジックバンド（登録商標）、ボタン等（６）で簡易に固定、着脱できるようにする。左右開閉するパネルは側面部と蓋部の部分を一体とし、左右観音両開きとした左右開閉パネル、図１０の（２２），（２３）とする方法、または蓋部分（３０）を上方に開け、左右の側面部を開閉する左右開閉パネル、１２の（２２），（２３）とする方法などがある。この左右開閉パネル部が雨具の裾の煽り止めになる。雨具の裾を簡易に着脱できるようにし、外して雨具として使うこともできるようになる。ケース下部に水抜きの穴（５）を設けるのは濡れたまま雨具を収納した時、水を排出できるようにするものである。バックミラーは雨具内だと見にくく危険なため、雨具のバックミラー部に当たるところには開閉口（３７）を作り、バックミラーを雨具の外に出すようにする。雨具は底部と側面パネル、上部蓋の間に収納する。
【発明の効果】
【０００７】
不意の雨に大きな成果があり、通勤、通学に便利で防雨グッズとして簡易に装着でき、合羽着用時の不快感も解消するため傘差し運転がなくなり、効果は絶大になる。
【図面の簡単な説明】
【０００８】
【図１】左右開閉パネル（２），（３）を開き、マント状の雨具を装着した請求項１のスクーター用左右開閉雨具収納ケースの図。
【図２】左右開閉パネル（２），（３）を閉じ、マント状の雨具を収納した請求項１のスクーター用左右開閉雨具収納ケース（１）を取り付けた図。
【図３】左右開閉パネル（２２），（２３）を開き、マント状の雨具を装着した請求項２の自転車用左右開閉雨具収納ケースの図。
【図４】左右開閉パネル（２２），（２３）を閉じ、マント状の雨具を収納した請求項２の自転車用左右開閉雨具収納ケース（２１）を取り付けた図。
【図５】左右開閉パネル部は側面部と蓋部の部分を一体とし、左右観音開きとした左右開閉パネル（２），（３）として、マント状の雨具を収納した請求項１のスクーター用左右開閉雨具収納ケースの図。
【図６】左右開閉パネル部は側面部と蓋部の部分を一体とし、左右観音開きとした左右開閉パネル（２），（３）として、マント状の雨具を装着するようにした請求項１のスクーター用左右開閉雨具収納ケースの図。
【図７】左右開閉パネル部は蓋部（２５）を上方に開け、左右の側面部を開閉する左右開閉パネル（２），（３）として、マント状の雨具を収納した請求項１のスクーター用左右開閉雨具収納ケースの図。
【図８】左右開閉パネル部は蓋部（２５）を上方に開け、左右の側面部を開閉する左右開閉パネル（２），（３）として、マント状の雨具を装着するようにした請求項１のスクーター用左右開閉雨具収納ケースの図。
【図９】左右開閉パネル部は側面部と蓋部の部分を一体とし、左右観音開きとした左右開閉パネル（２２），（２３）として、マント状の雨具を収納した請求項２の自転車用左右開閉雨具収納ケースの図。
【図１０】左右開閉パネル部は側面部と蓋部の部分を一体とし、左右観音開きとした左右開閉パネル（２２），（２３）として、開きマント状の雨具を装着するようにした請求項２の自転車用左右開閉雨具収納ケースの図。
【図１１】左右開閉パネル部は蓋部（３０）を上方に開け、左右の側面部を開閉する左右開閉パネル（２２），（２３）として、マント状の雨具を収納した請求項２の自転車用左右開閉雨具収納ケースの図。
【図１２】左右開閉パネル部は蓋部（３０）を上方に開け、左右の側面部を開閉する左右開閉パネル（２２），（２３）として、マント状の雨具を装着するようにした請求項２の自転車用左右開閉雨具収納ケースの図。
【発明を実施するための形態】
【０００９】
スクーターでは頭部フード（１０）はヘルメットを装着するので必要がない場合があるが、頭部フードをヘルメットの下になるよう被る事で首周りからの雨の進入を防ぐのに大変効果的である。自転車において左右開閉ケースをダブルチューブに取り付けたとき、乗り降りに支障がある場合はケースの上側を回転支点とし、ヘッドチューブの方に押し上げ固定するようにしてもよい。ケース固定については各種スクーター、各種の自転車に取り付けられるようにケースに固定用の穴を数多くあけ、適合する位置、角度で固定するようにする。ケースの左右開閉パネル部を開いたとき、運転者がペダルを踏むのに支障がないようにできるだけケースの左右開閉パネル部とペダルとの空間を作れるようにする。
【産業上の利用可能性】
【００１０】
本発明により防雨を確実にし、不意の雨にも対応、簡易に使用でき、合羽等の着用時の不快感を解消できるため、傘差し運転が減り、工業的にも量産することが可能であるため、産業上の利用可能性を有する。  
【符号の説明】
【００１１】
１  スクーター用左右開閉雨具収納ケース
２  スクーター用左右開閉雨具収納ケース左開閉パネル
３  スクーター用左右開閉雨具収納ケース右開閉パネル
４  車体本体前面カバー固定ネジ  
５  ケース下部水抜き穴
６  雨具固定、着脱部品
７  マント状の雨具
８  腕を外に出せる袖口
９  頭部被り口
１０  頭部フード
１１  マント状雨具着用はおり部止め部品
１２  スクーターハンドル
１３  左右開閉パネル止め部品
１４  車体本体前面カバー
１５  左右開閉パネルロック部品
１６  自転車車体前部フレーム（トップ、ダブルチューブ）
１７  自転車ハンドル
１８  スクーター用左右開閉雨具収納ケースケース上部
１９  スクーター用左右開閉雨具収納ケースケース下部
２０  ケース固定用穴
２１  自転車用左右開閉雨具収納ケース
２２  自転車用左右開閉雨具収納ケース左開閉パネル
２３  自転車用左右開閉雨具収納ケース右開閉パネル
２４  雨具収納スペース
２５  スクーター用左右開閉雨具収納ケース蓋部
２６  スクーター用左右開閉雨具収納ケース側面開閉パネルとしたケース上部
２７  ケース蓋開閉部品
２８  スクーター用左右開閉雨具収納ケース底部
２９  自転車用左右開閉雨具収納ケースの中央部をダブルチューブに取り付けるため、逆Ｕ次に湾曲させた底部
３０  自転車用左右開閉雨具収納ケース蓋部
３１  自転車用左右開閉雨具収納ケース上部
３２  自転車用左右開閉雨具収納ケース下部
３３  自転車用左右開閉雨具収納ケース底部
３４  自転車用左右開閉雨具収納ケース雨具収納部
３５  自転車前面フレーム取り付け部品
３６  車体本体前面カバー（１４）に取り付け部品
３７  バックミラー用開閉口
３８  自転車用左右開閉雨具収納ケースを側面開閉パネルとしたケース上部
３９  自転車用左右開閉雨具収納ケースを側面開閉パネルとしたケース下部
【図１】
2011195001.tif 000003
【図２】
2011195001.tif 000004
【図３】
2011195001.tif 000005
【図４】
2011195001.tif 000006
【図５】
2011195001.tif 000007
【図６】
2011195001.tif 000008
【図７】
2011195001.tif 000009
【図８】
2011195001.tif 000010
【図９】
2011195001.tif 000011
【図１０】
2011195001.tif 000012
【図１１】
2011195001.tif 000013
【図１２】
2011195001.tif 000014